(57)【要約】ノズルは、オリフィス部、出口及び拡張形状部を含んで提供される。オリフィス部は、オリフィス直径を含む。出口は、流体がノズルから出ることを許容する。拡張形状部はオリフィス部と出口との間に位置され、拡張形状部の外表面は出口に向けて外方向へ角度が付されている。拡張形状部は拡張形状角度を含む。拡張形状角度は拡張形状部の外表面で測定され、拡張形状部は９０°よりも小さい。さらに、拡張形状高さを含み、拡張形状高さは拡張形状部で測定され、拡張形状高さはオリフィス直径よりも大きい。
2012513303.tif 000002
【特許請求の範囲】
【請求項１】
軸線（Ａ−Ａ）に沿って延びるノズル５０であって、
前記軸線（Ａ−Ａ）に対して概して垂直をなすオリフィス直径（Ｄ）を含むオリフィス部６２と、
流体３０が前記ノズル５０から外へ出ることを許容する出口と、
前記オリフィス部６２と前記出口との間に位置され、外表面８４が前記出口に向けて外側へ向けられて角度が付された拡張形状部７２と、
前記拡張形状部７２の前記外表面８４で測定され、９０°よりも小さい拡張形状角度８０と、
前記軸線（Ａ−Ａ）に対して概して平行をなす前記拡張形状部７２で測定され、前記オリフィス直径（Ｄ）よりも大きい拡張形状高さ（Ｈ）と、
を含むことを特徴とするノズル５０。
【請求項２】
ノズル５０はアトマイザ２０の一部であることを特徴とする請求項１に記載のノズル５０。
【請求項３】
前記アトマイザ２０はスワールアトマイザであることを特徴とする請求項２に記載のノズル５０。
【請求項４】
前記ノズル５０の前記出口は噴霧角度（Ａ）を含み、前記噴霧角度（Ａ）は前記ノズル５０から外へ出る前記流体３０の噴霧パターン（Ｓ）によって定義されることを特徴とする請求項１に記載のノズル５０。
【請求項５】
少なくとも２つの異なる供給圧力をさらに含み、前記２つの異なる供給圧力は前記オリフィス部６２へ供給される前記流体３０の圧力であることを特徴とする請求項４に記載のノズル５０。
【請求項６】
前記噴霧角度（Ａ）は前記２つの異なる供給圧力間で概して一定のままであることを特徴とする請求項５に記載のノズル５０。
【請求項７】
第１供給圧力は約４０ｐｓｉ（２７５．８ｋＰａ）であり、第２供給圧力は約１００ｐｓｉ（６８９．５ｋＰａ）であることを特徴とする請求項５に記載のノズル５０。
【請求項８】
第１エッジ８２及び第２エッジ８４をさらに含み、前記第１エッジ８２は前記オリフィス部６２と前記拡張形状部７２との間に位置され、前記第２エッジ８４は前記出口に位置されることを特徴とする請求項５に記載のノズル５０。
【請求項９】
前記流体は第１供給圧力で前記第１エッジ８２で急激に方向を変え、前記流体３０は第２供給圧力で前記第２エッジ８４で急激に方向を変え、前記第１供給圧力は前記第２供給圧力よりも小さいことを特徴とする請求項８に記載のノズル５０。
【請求項１０】
前記拡張形状部７２は概してコーン形状であるジオメトリを含むことを特徴とする請求項１に記載のノズル５０。
【請求項１１】
ノズル５０を含むアトマイザ２０であって、
オリフィス直径（Ｄ）を含むオリフィス部６２と、
流体３０が前記ノズル５０から外へ出ることを許容する出口と、
前記オリフィス部６２と前記出口との間に位置され、外表面８４が前記出口に向けて外側へ向けられて角度が付された拡張形状部７２と、
前記拡張形状部７２の前記外表面８４で測定され、９０°よりも小さい拡張形状角度８０と、
前記オリフィス部６２と前記拡張形状部７２との間に位置される内エッジ７６と前記出口によって画定される外エッジ８４との間の前記拡張形状部７２で測定され、前記オリフィス直径（Ｄ）よりも大きい拡張形状高さ（Ｈ）と、
を含むことを特徴とするアトマイザ２０。
【請求項１２】
前記拡張形状部７２は、前記流体３０が前記拡張形状部７２の少なくとも一部分で接触するようなサイズに形成されることを特徴とする請求項１１に記載のアトマイザ２０。
【請求項１３】
前記流体３０は前記内エッジ７６と前記外エッジ８４との少なくとも１つに接触することを特徴とする請求項１２に記載のアトマイザ２０。
【請求項１４】
前記アトマイザ２０はスワールアトマイザであることを特徴とする請求項１１に記載のアトマイザ２０。
【請求項１５】
前記流体３０は第１供給圧力で前記内エッジ７６で急激に方向を変え、前記流体３０は第２供給圧力で前記外エッジ８４で急激に方向を変え、前記第１供給圧力は前記第２供給圧力よりも小さいことを特徴とする請求項１１に記載のアトマイザ２０。
【請求項１６】
前記拡張形状部７２は概してコーン形状であるジオメトリを含むことを特徴とする請求項１１に記載のアトマイザ２０。
【請求項１７】
流体３０を噴霧化する方法であって、
ノズル５０及び流体３０を提供し、前記ノズル５０はオリフィス６２、拡張形状部７２、出口、第１エッジ８２及び第２エッジ８４を含み、前記第１エッジ８２は前記オリフィス部６２と前記拡張形状部７２との間で画定され、前記第２エッジ８４は前記出口で画定されるステップと、
前記流体３０を第１供給圧力で前記ノズル５０から外へ噴霧し、前記第１供給圧力は前記オリフィス６２へ供給される前記流体３０の圧力であり、前記流体３０は前記第１エッジ８２で前記ノズル５０との接触が断たれるステップと、
前記流体３０を第２供給圧力で前記ノズル５０から外へ噴霧し、前記第１供給圧力は前記第２供給圧力よりも小さく、前記流体３０は前記第２エッジで前記ノズル５０との接触が断たれるステップと、
前記流体３０が前記ノズル５０から外へ噴霧された場合に概して一定の噴霧角度（Ａ）を維持し、前記噴霧角度（Ａ）は前記ノズル５０から出る前記流体３０の噴霧パターン（Ｓ）よって定義されるステップと、
を含むことを特徴とする方法。
【請求項１８】
前記流体３０を第３供給圧力で前記ノズル５０から外へ噴霧するステップをさらに含み、前記第３供給圧力は前記第１供給圧力及び前記第２供給圧力とは異なることを特徴とする請求項１７に記載の方法。
【請求項１９】
前記流体３０が前記第３供給圧力で前記ノズル５０から外へ噴霧される場合に概して一定の噴霧角度（Ａ）を維持するステップをさらに含むことを特徴とする請求項１８に記載の方法。
【請求項２０】
前記第１供給圧力は前記第２供給圧力よりも小さいことを特徴とする請求項１７に記載の方法。
【発明の詳細な説明】
【技術分野】
【０００１】
本発明は、ノズル、特に、拡張形状部を含むノズルに関する。
【背景技術】
【０００２】
排気ガス後処理システムは、通常、排気ガス中の窒素酸化物(NOx)の量を低減させるため、ディーゼルエンジンに関連して使用される。あるタイプの後処理システムは、例えば、アンモニア、燃料又は尿素等の還元剤を排気ガス中へ噴霧するインジェクタを含む。そして、排気ガスは、触媒コンバータへ移動して、触媒コンバータでは、還元剤が排気ガス中の窒素酸化物と反応して水と窒素とが生成され、排気ガス中の窒素酸化物の量が低減される。触媒コンバータでの反応後、排気ガスは、触媒コンバータから大気中へ放出される。
【０００３】
典型的に、インジェクタはインジェクタオリフィスを含み、インジェクタはインジェクタオリフィスから外へ還元剤を噴霧する。それは、少なくとも後処理システムにとって、還元剤が排気管中へ噴霧された場合にインジェクタオリフィスで還元剤の圧力を変化させるのに有益である。異なる圧力で排気管中へ還元剤を噴霧することは、噴霧パターンを変える結果となる。それは、インジェクタの噴霧パターンがインジェクタの圧力に依存して変化することを示す。特に、インジェクタオリフィス内の圧力が増加すると、インジェクタから外へ噴霧された還元剤の角運動量も増加する。角運動量の増加によって還元剤はより高角度で排気管中へ噴霧される。このように、インジェクタオリフィスでの圧力の変化は、還元剤の噴霧パターンを変える結果となる。
【０００４】
少なくともいくつかの排気管は、圧力に関わらず、通常の一定の噴霧パターンでインジェクタが還元剤を噴霧すると仮定して設計されている。その結果、概して一定の噴霧パターンを維持するまでの間、インジェクタは、変動する圧力でインジェクタオリフィスから還元剤を噴霧する必要性が生じる。
【図面の簡単な説明】
【０００５】
【図１】ニードル、ニードルガイド、流体及びノズルを含むインジェクタの部分断面図である。
【図２】オリフィス及び拡張形状部を含む図１におけるノズルの拡大図である。
【図３】流体がノズルから出ているノズルの部分断面図である。
【図４】図３に示される状態とは異なる供給圧力で流体がノズルから出るノズルの部分断面図である。
【図５】流体を噴霧化するための方法のプロセスフローダイアグラムである。
【発明を実施するための形態】
【０００６】
ここで、以下の詳解及び図面も参照して、開示されたシステム及び方法の実施形態を詳細に説明する。図面はいくつかの可能な実施形態を表しているが、図面は縮尺通りである必要はなく、確定した特徴は、誇張、除去、又はよりよい図解のために部分的に断面で示すことが可能であるとともに現開示を説明するものである。さらに、ここで示された説明は、網羅的或いは限定のその逆又は請求項を正確な形状及び図に示される配置及び以下に説明される詳細な説明に限定されることを意図していない。
【０００７】
さらに、定数の数値は以下の詳解で伝えられる。いくつかのケースにおいて、定数の実例となる数値が提供される。他のケースにおいては明確な数値は与えられない。定数の数値は、組み合わされる装置の特性及び開示されたシステムに組み合わされる周囲環境及び運転状態同様に他の因子を伴うこのような特性の相互関係に依存する。
【０００８】
図１は、流体３０を噴霧するための典型的なアトマイザ２０を図解する。図１はインジェクタとしてのアトマイザ２０を図解するが、噴霧化する装置のタイプは、これに限定されるものではなく、例えば、キャブレタ、エアブラシ、ミスタ、又は噴霧ボトルを同様に使用することができる。流体３０は、噴霧パターンを定義する噴霧内にアトマイザ２０から出る。噴霧パターンは、流体３０がアトマイザ２０から出る時の流体飛沫のパターンである。流体３０は、供給圧力を伴ってアトマイザ２０へ供給され、少なくともいくつかのケースでは供給圧力が変化する。それは、アトマイザ２０に対する供給圧力を変化させるのに有益だからである。しかしながら、噴霧圧力が変化した場合、アトマイザ２０を通過する流体３０の噴霧パターンは同様に変化する。少なくともいくつかの適用では、噴霧パターンは概して一定に維持されると仮定して設計されているので、流体３０の噴霧パターンが変化することは望ましくない。アトマイザ２０は、流体３０が変更された場合でさえ、概して一定の噴霧パターンが維持されるので、アトマイザ２０は、少なくともいくつかの他のタイプのインジェクタとは異なる。
【０００９】
一例として、アトマイザ２０は、スワールタイプインジェクタであり、ニードル３２、ニードルガイド３４、アトマイザインレット３６、アトマイザアウトレット３８、スワールチャンバ４０、スプリングの形状で示される付勢部材４２、及びソレノイド４４を含む。流体３０は、噴霧化が可能なあらゆる流体とすることができ、例えば、流体３０は、アンモニア、燃料又は尿素等の排気ガス後処理システムで使用される流体とすることができるがこれに限定されない。アトマイザアウトレット３８はノズル５０を含み、流体３０は、ノズル５０、アトマイザアウトレット３８を通過してアトマイザ２０から出る。それから、流体３０は、予め決定された場所へ噴霧される。図１は、排気ガス後処理システムに利用されるアトマイザ２０の例示的な図解であり、アトマイザ２０から出た流体３０は、排気ガス流５２中へ噴霧される。
【００１０】
図１は、開位置のアトマイザ２０を図解する。開位置では、流体３０は、アトマイザインレット３６を通過してアトマイザ２０中へ入り、スワールチャンバ４０を通過し、アトマイザアウトレット３８を通過してアトマイザ２０から出る。ニードル３２は、ニードルガイド３４内のニードル座６０に着座される。開位置では、ニードル３２は、概してアトマイザアウトレット３８と反対側の方向である第１方向Ｏの方へ引き込まれる。ノズル５０はオリフィス６２を含み、オリフィス６２は、アトマイザ２０が開位置である時、ニードル３２の頂部６４によって遮断されない。ニードル３２がアトマイザアウトレット３８側の方向である第２方向Ｃの方へ推進される時、アトマイザ２０は閉位置である。閉位置では、ニードル３２の頂部６４は、オリフィス６２に近接したニードル座表面６６に沿って着座される。閉位置である時、流体３０がノズル５０から出ることを少なくとも部分的に制限することで、オリフィス６２は、ニードル３２の頂部６４によって少なくとも部分的に閉塞される。
【００１１】
流体３０がアトマイザアウトレット３８を通過してアトマイザ２０から出ると、噴霧パターンＳがもたらされる。噴霧パターンＳは、流体３０がインジェクタから出る時の流体噴霧のパターンとして定義される。噴霧パターンＳは、流体３０がアトマイザ２０によって噴霧化された場合にもたらされる流体飛沫の系列を含む。噴霧パターンＳは、噴霧角度Ａを含む。
【００１２】
図２は、ノズル５０の拡大図である。オリフィス６２は、オリフィス６２の外表面７０間で測定されるオリフィス直径Ｄを含む。一例では、オリフィス６２は、概して円筒形である。ノズル５０は、拡張形状部７２及び出口部７４も含む。流体３０は、出口部７４を通過してノズル５０から出るとともに、拡張形状部７２は、オリフィス６２と出口部７４との間に位置される。
【００１３】
拡張形状部７２のジオメトリは、概して漏斗形状である。一例では、拡張形状部７２は、概してコーン形状プロフィールを含み、拡張形状部７２の外表面７６は、出口部７４に向けて外側へ向けられて角度が付されている。拡張形状部７２の外表面７６は、拡張形状角度８０を定義し、拡張形状角度８０は、外表面７６が相互に関連して角度が付される位置を明らかにする。図１〜図４の各々に図解される例において、拡張形状角度８０は９０°よりも小さい。図解された例では、表面７６は、軸線Ａ−Ａを対象軸として対象であり、概して一定の角度を含む。しかしながら、他のアプローチでは、表面７６は、それらの対象を維持して角度が変化するように湾曲される。さらなる他のアプローチでは、表面７６は対象である必要がない。
【００１４】
ノズル５０は、内側第１エッジ８２及び第１エッジ８２から軸線方向へ間隔を空けて対向して配置される外側第２エッジ８４を含む。第１エッジ８２は、オリフィス６２と拡張形状部７２との間に位置し、第２エッジ８４は、出口部７４に位置する。第１エッジ８２は、オリフィス６２の外表面７０と拡張形状部７２の外表面７６との稜部に形成される。第２エッジ８４は、拡張形状部７２の出口部７４における端部として形成される。第１エッジ８２及び第２エッジ８４は、拡張形状高さＨを定義する。より詳細には、一例において、拡張形状高さＨは、第１エッジ８２と第２エッジ８４との間の距離として定義される。拡張形状高さＨは、オリフィス直径Ｄよりも大きい。
【００１５】
噴霧パターンＳは、オリフィス６２と拡張形状部７２との両方のジオメトリに少なくとも一部が依存する。それは、拡張形状角度８０が９０°よりも小さい角度を維持すること及び拡張形状高さＨがオリフィス直径Ｄよりも大きいことを許容することは、ノズル５０の流動特性を確定するからである。より詳細には、拡張形状部７２は、後でより詳細に説明されるノズル５０の変更による流体３０の供給圧力として、概して一定の噴霧パターンＳ（図１参照）を維持するためにノズル５０に組み込まれる。
【００１６】
図３、図４は、ノズル５０から出る流体３０を図解するもので、図３においてオリフィス６２へ供給される流体３０の供給圧力は、図４におけるオリフィス６２へ供給される流体３０の供給圧力よりも大きい。図３、図４におけるノズル間の供給圧力は異なるが、噴霧パターンＳが概して略同一であることに留意すべきである。それは、ノズル５０は、供給圧力が変化した場合に噴霧パターンＳを概して一定に維持する能力を持つので、ノズル５０は、少なくともいくつかの他のアトマイザノズルとは異なるからである。対照的に、アトマイザノズルのいくつかの他のタイプは、供給圧力が変化する場合に異なる噴霧パターンを含む。例示的な図解において、図３における流体３０の供給圧力は約１００ｐｓｉ（６８９．５ｋＰａ）であるとともに図４における流体３０の供給圧力は約４０ｐｓｉ（２７５．８ｋＰａ）であり、しかしながら、ノズル５０のジオメトリは、供給圧力のいかなる範囲に対しても調整される点に留意すべきである。図３、図４は２つの異なる供給圧力を図解するにすぎない点、さらに、２つの供給圧力が同様にノズル５０を伴って使用される点に留意すべきである。
【００１７】
適用の少なくともいくつかのタイプにおいて、概して一定の噴霧パターンＳを含むことは有益である。例えば、図１は、排気ガス管（図示省略）内に位置される排気ガス流５２中へ噴霧される流体３０を図解する。少なくともいくつかの排気ガス管は、噴霧パターンＳが概して一定に維持されるのを仮定して設計されている。流体３０の供給圧力が変化しても概して一定の噴霧パターンが維持されるのを仮定して設計された排気ガス管を伴ってノズル５０を使用することにより、流体３０の供給圧力が変化することによりもたらされるいくつかの利益の利点を得ることが可能である。例えば、少なくともいくつかの後処理システムにとって、流体３０を排気ガス流５２中へ噴霧する場合にアトマイザ２０の出口部７４で流体３０の圧力が変化することに対して有益である。
【００１８】
図３に戻ると、流体３０が図４に図解される流体３０よりもより高い供給圧力で移動すると、流体３０は、拡張形状部７２の外表面７６に概して接触するように図解されている。流体３０は、ノズル５０の第２エッジ８４でノズル５０との接触が断たれる。拡張形状角度８０を９０°よりも小さくなるように必要な大きさに設定することにより、流体３０の流量は、流体３０が拡張形状部７２の外表面７６に接触するために減少する。
【００１９】
図１乃至図４に図解される具体例において、ノズル５０がスワールアトマイザに組み込まれることは、流体３０がノズル５０から出る時に、流体３０が概して周方向に回転することを意味する。図３におけるノズルの供給圧力は図４におけるノズルの供給圧力よりも大きいので、流体３０の速度は、図３における速度の方が、図４における流体の速度と比較してより速い。したがって、拡張形状部７２をノズル５０から省略した場合、より高い速度はより大きい噴霧角度Ａへ変換されるので、図３に図解される流体３０は、図４に図解される流体３０に対してより大きい噴霧角度Ａを含む。換言すると、拡張形状部７２は、より高い供給圧力で流体３０の速度を遅らせるためのノズル５０が組み込まれる。
【００２０】
図３に戻ると、流体３０が拡張形状部７２の内側で回転する時、流体３０は角運動量を損失する。それは、流体３０が拡張形状部７２の角度が付された外表面７６に接触して、流体３０が運動量を損失することを示す。また、拡張形状高さＨがオリフィス直径Ｄよりも大きくなることで、流体３０は、流体３０が運動量を損失するような移動のための十分な距離を有することを示す。このように、拡張形状部７２の角度が付された外表面７６及び高さＨに起因して、流体３０がノズル５０から出ると、流体３０によって噴霧パターンＳが形成されるように十分な運動量が失われる。それは、拡張形状部７２が、より高い供給圧力で噴霧角度Ａで噴霧される流体３０を生じ、より低い供給圧力で図４に図解されるような概して噴霧角度Ａに略等しくなることを示す。
【００２１】
９０°よりも小さい拡張形状角度８０及びオリフィス直径Ｄよりも大きい拡張形状高さＨを有するノズル５０を備える拡張形状部７２を含むことは、少なくともいくつかの理由で有益である。第１に、拡張形状部７２が削除されるのであれば、噴霧パターンＳの角度Ａは増加する。さらに、拡張形状角度８０が９０°よりも大きいのであれば、拡張形状部７２は流体３０に接触せず、噴霧パターンの角度Ａは増加する。加えて、拡張形状高さＨがオリフィス直径Ｄよりも大きくないのであれば、その時の流体３０は、流体３０に速度を減少させるための移動に対して十分な距離を持たない。結果的に、流体３０は、噴霧角度Ａでノズル５０から出るための十分な速度が減少しない。
【００２２】
図４は、図３に図解される流体３０よりも低い供給圧力で移動する流体３０を図解するものであって、流体３０は、拡張形状部７２に入る前に拡張形状部７２の第１エッジ８２に接触する。それから、流体３０は、噴霧パターンＳ及び噴霧角度Ａを形成するためにノズル５０から外へ移動する。流体はより低い供給圧力で第１エッジ８２でノズル５０から離れるので、流体３０は、図３に示されるような噴霧パターンＳに類似した噴霧パターンＳを形成するノズル５０から出る。これは、略同じ噴霧角度Ａを生じるために、図４に図解されるようなより低い供給圧力流体３０が第１エッジ８２から離れること、及び図３に図解されるようなより高い供給圧力流体３０が第２エッジ８４から離れることの両方の理由からである。
【００２３】
拡張形状高さＨがオリフィス直径Ｄよりも大きいことが維持されることによって、且つ拡張形状角度８０が９０°よりも小さいことが維持されることによって、オリフィス６２に入る流体３０の供給圧力が増加するにもかかわらず、噴霧パターンＳ及び噴霧角度Ａは、概して略同じままである。２つの異なる供給圧力が図３、図４の各々に図解されているのみであるが、２つ以上の異なる供給圧力がさらに使用可能であることは理解される。１つの具体的な例において、アトマイザ２０は、第１供給圧力及び第２供給圧力とは異なる第３供給圧力を含む。流体３０が第３供給圧力でアトマイザ２０から出ると、噴霧パターンＳ及び噴霧角度Ａは、図３、図４の各々に図解されるような噴霧パターンＳに類似して、概して一定のままである。
【００２４】
流体３０を噴霧化する方法は、プロセス２００として概して図５に同様に開示されるとともに図解されている。プロセス２００は、ノズル５０及び流体３０が提供されるステップ２０２で始まる。前述したように、ノズル５０は、オリフィス６２、拡張形状部７２、出口部７４、第１エッジ８２及び第２エッジ８４を含む。第１エッジ８２は、オリフィス６２と拡張形状部７２との間に画定される。第２エッジ８４は、出口部７４で画定される。プロセス２００はステップ２０４へ進む。
【００２５】
ステップ２０４において、流体３０は、第１供給圧力でノズル５０から外へ噴霧される。前述したように、第１供給圧力は、オリフィス６２へ供給される流体３０の圧力である。流体３０が第１供給圧力でノズル５０から外へ噴霧されると、流体３０は、図４に図解される第１エッジ８２でノズル５０との接触が断たれる。それから、プロセス２００はステップ２０６へ進む。
【００２６】
ステップ２０６において、流体３０は第２供給圧力でノズル５０から外へ噴霧され、第１供給圧力は第２供給圧力よりも小さい。流体３０が第２供給圧力でノズル５０から外へ噴霧されると、流体は第２エッジ８４でノズル５０との接触が断たれる。一例において、第１供給圧力は約４０ｐｓｉ（２７５．８ｋＰａ）であり、第２供給圧力は約１００ｐｓｉ（６８９．５ｋＰａ）である。しかしながら、ノズル５０のジオメトリは許容可能な供給圧力の範囲で調整される点に留意すべきである。それから、プロセス２００はステップ２０８へ進む。
【００２７】
ステップ２０８において、流体３０は、第３供給圧力でノズル５０から外へ噴霧される。前述したように、第３供給圧力は、第１供給圧力及び第２供給圧力とは異なる。流体３０が第３供給圧力でノズル５０から外へ噴霧されると、流体３０は、第３供給圧力のバルブに依存する第１エッジ８２又は第２エッジ８４或いは表面７６に沿った可能なエッジ間で、ノズル５０との接触が断たれる。さらに、１つの具体的な例において、第３供給圧力が第１供給圧力と第２供給圧力との両方よりも大きいのであれば、流体３０は、第２エッジ８４でノズル５０との接触が断たれる。選択的に、第３供給圧力が第１供給圧力と第２供給圧力との両方よりも小さいのであれば、流体３０は、第１エッジ８２でノズル５０との接触が断たれる。それから、プロセス２００はステップ２１０へ進む。
【００２８】
ステップ２１０において、噴霧角度Ｓは、流体３０がノズル５０から外へ噴霧される場合に維持される。換言すると、噴霧角度Ｓは、流体３０の供給圧力が変化する場合に概して一定のままである。例えば、噴霧角度Ｓは、供給圧力が第１供給圧力、第２供給圧力及び第３供給圧力の間で変化する場合に概して一定のままである。それから、プロセス２００は完了する。
【００２９】
本開示は、前記図面に関連して特に示されるとともに説明されており、本開示を実施するためのベストモードを例示したものに過ぎない。ここで説明された本開示の図面に対する様々な代替手段は、以下の請求項において定義された本開示の精神及び範疇から逸脱することなく、本開示を実行することに採用されることは、当業者によって理解されるべきである。以下の請求項が本開示の範疇を定義し、且つこれら請求項及びそれらと同等のものの範疇に内包される方法及び装置がそれらによってカバーされることを意図している。本開示のこの明細書は、ここで説明された構成要素の全ての新規の及び明らかにされていない組み合わせを含み、且つ請求項は、この中で又は後願でこれら構成要素のあらゆる新規の及び明らかにされていない組み合わせに対して存在することが、理解されるべきである。さらに、前記図面は例示的なものであり、且つこの中で又は後願でクレームされる特徴又は構成要素はすべての可能な組み合わせにとって必須であるものではない。
【図１】
2012513303.tif 000003
【図２】
2012513303.tif 000004
【図３】
2012513303.tif 000005
【図４】
2012513303.tif 000006
【図５】
2012513303.tif 000007
【国際調査報告】
2012513303.tif 000008
2012513303.tif 000009